(57)【要約】【課題】外出時のカード所持忘れを防止した出入管理システムの提供。【解決手段】出入管理ゲートと、出入管理ゲートに取り付けられた電気錠３と、カードリーダ２と、カードリーダ２に接続され、かつ、カードデータが登録され、電気錠３を制御するコントローラ３３とを備えた出入管理システムであって、コントローラ３３は、カードリーダ２が登録されているカードデータを読み取ると、電気錠３を施錠する。好ましくは、出入管理システムは、操作されると前記コントローラに操作されたことを知らせる操作部４を、更に備え、コントローラ３３は、操作部４に対する操作とカードリーダ２による前記登録されているカードデータの読み取りとの双方が一定時間内で行われた場合に、電気錠３を解錠する。【選択図】図４
2006299639.tif 000002
【特許請求の範囲】
【請求項１】
出入管理ゲートと、
該出入管理ゲートに取り付けられた電気錠と、
カードリーダと、
前記カードリーダに接続され、かつ、カードデータが登録され、前記電気錠を制御するコントローラとを備え、
前記コントローラは、前記カードリーダが登録されているカードデータを読み取ると、前記電気錠を施錠することを特徴とする出入管理システム。
【請求項２】
請求項１に記載の出入管理システムにおいて、
操作されると前記コントローラに操作されたことを知らせる操作部を、更に備え、
前記コントローラは、前記操作部に対する操作と前記カードリーダによる前記登録されているカードデータの読み取りとの双方が一定時間内で行われた場合に、前記電気錠を解錠することを特徴とする出入管理システム。
【請求項３】
請求項１又は２に記載の出入管理システムにおいて、
前記カードリーダは、インターホン玄関子機のケース内に内蔵されていることを特徴とする出入管理システム。
【請求項４】
請求項２に記載の出入管理システムにおいて、
前記操作部は、前記出入管理ゲートのノブを回す操作により操作されて、前記信号を出力することを特徴とする出入管理システム。
【請求項５】
請求項２に記載の出入管理システムにおいて、
前記操作部として、インターホン玄関子機の呼び出しボタンが兼用されていることを特徴とする出入管理システム。
【発明の詳細な説明】
【技術分野】
【０００１】
本発明は、磁気カード、バーコード付きカード、非接触カードなどの個人識別媒体を利用して、一般家庭やマンション、あるいは特定の重要場所など、出入をする頻度が少ない場所に出入りする人を識別し、出入の可否を判定したり、扉が長時間開いていた場合やこじ開けられた時などに警報を発する出入管理システムに関する。
【背景技術】
【０００２】
出入管理システムは、例えば、特許文献１に開示されている。
【０００３】
出入管理システムは、金融機関、エネルギー関連施設から、近年では一般ビルや一部の集合住宅まで、広く使用されている。個人識別の媒体としては、従来は磁気カードが一般的だったが、よりセキュリティー性能の高い非接触カードの使用も増大しており、一部ではバーコード付きカードや指紋照合、網膜や静脈パターンなどの生体特長の照合なども使われている。この中で非接触カードはセキュリティーの高さに加え、
・カードリーダに機構部分を持たないのでメンテナンスフリーに出来る、
・カードリーダにカードを近づけるだけでデータを読み取るので鞄などから取り出す必要がなく、取扱に優れる、
・雨や雪などに影響されにくいので対環境性に優れる、
の特長があり、多く使用されてきている。
【０００４】
ビルなどの出入管理システムでは、セキュリティーの観点から管理しようとする扉は常時閉められており、カードなどの個人識別媒体を使用して解錠し、通過し終わると、ドアクローザなどによりドアが自動的に閉まる機構が用いられている。
【０００５】
オフィスビルなど普段は部屋の外にいる者がセキュリティーが必要な部屋に入って、用が終われば出てくるような場合ではこのシステムは有効で、ある部屋への入室は特定の権限を与えられたカード所持者のみが可能となり、その部屋のセキュリティーは護られる。
【０００６】
多くのオフィスや施設はこのような使用状況下にあるので、従来のカードシステムは、ほとんどが上記動作を基本として構築されている。
【０００７】
一方、一般家庭などでは、居住者は普段は家の中にいて、買い物や出勤などで外出し、用事が終われば部屋に帰って来るという形が一般的である。また、オフィスなどと異なり一人暮らしなど、周囲に他の人がいない状況で使用されることも多い。
【０００８】
この場合、家から出るときにカードを持つことを忘れ、ドアから出てドアが自動的に閉まってしまうと、二度と家に入ることは出来なくなってしまう。オフィスなどでも一部の場所ではほとんど一日ある部屋の中で仕事をし、所用があるときにのみその部屋から出るような勤務形態もあり、もしカードを所持忘れて部屋から出てしまうと他の人が来るまで部屋の中にはいることが出来ない場合も起こりうる。
【０００９】
従って、一般家庭やオフィス内の一部の場所のように出入の頻度が少数で、出入りする人数も非常に少ない場合には、従来のオフィス用の出入管理システム（カードシステム）とは別の観点からセキュリティーを含め見直す必要がある。
【００１０】
【特許文献１】特開２００１−２４１２２６号公報
【発明の開示】
【発明が解決しようとする課題】
【００１１】
本発明は、従来のオフィス用の出入管理システム（カードシステム）とは異なる考えのもとに、新たな出入管理システム（カードシステム）を提案するものである。
【００１２】
即ち、本発明の目的は、外出時に、カードリーダによるカードのデータの読み込みを行うことで、電気錠は施錠動作となり、外出時のカード所持忘れを防止し且つセキュリティー性能を高めた出入管理システム（カードシステム）を提供することにある。
【課題を解決するための手段】
【００１３】
本発明による出入管理システムは、以下のとおりである。
【００１４】
（１）  出入管理ゲートと、
該出入管理ゲートに取り付けられた電気錠と、
カードリーダと、
前記カードリーダに接続され、かつ、カードデータが登録され、前記電気錠を制御するコントローラとを備え、
前記コントローラは、前記カードリーダが登録されているカードデータを読み取ると、前記電気錠を施錠することを特徴とする出入管理システム。
【００１５】
（２）  上記（１）に記載の出入管理システムにおいて、
操作されると前記コントローラに操作されたことを知らせる操作部を、更に備え、
前記コントローラは、前記操作部に対する操作と前記カードリーダによる前記登録されているカードデータの読み取りとの双方が一定時間内で行われた場合に、前記電気錠を解錠することを特徴とする出入管理システム。
【００１６】
（３）  上記（１）又は上記（２）に記載の出入管理システムにおいて、
前記カードリーダは、インターホン玄関子機のケース内に内蔵されていることを特徴とする出入管理システム。
【００１７】
（４）  上記（２）に記載の出入管理システムにおいて、
前記操作部は、前記出入管理ゲートのノブを回す操作により操作されて、前記信号を出力することを特徴とする出入管理システム。
【００１８】
（５）  上記（２）に記載の出入管理システムにおいて、
前記操作部として、インターホン玄関子機の呼び出しボタンが兼用されていることを特徴とする出入管理システム。
【発明の効果】
【００１９】
本発明によれば、外出時に、カードリーダによるカードのデータの読み込みを行うことで、電気錠は施錠動作となり、外出時のカード所持忘れを防止し且つセキュリティー性能を高めた出入管理システム（カードシステム）が得られる。
【発明を実施するための最良の形態】
【００２０】
次に本発明の実施例について図面を参照して説明する。
【００２１】
以下、本発明を非接触カードを使用する場合を例にとって説明するが、使用されるカードは、非接触カードに限定されず、磁気カード、バーコード付きカードなど個人を識別できるカードであれば、非接触カードを用いた場合と同様の効果が期待できる。
【００２２】
まず、図１を参照して、本発明のよりよき理解のために、一般的な出入管理システムについて説明する。
【００２３】
図１の出入管理システムは、個人識別媒体として非接触カードを用いた出入管理システム（カードシステム）であり、図２は図１の出入管理システムのブロックダイアグラムである。
【００２４】
図１で、１は管理された部屋の入口であるドア（出入管理ゲート）、２は非接触カードリーダ、３はドアに設置された電気錠である。
【００２５】
ドア１にはクローザが取り付けられており、開いたドア１は自然に閉まるようになっている。これは人が通過してあとでドア１が開け放しになるのを防ぐためである。
【００２６】
非接触カードリーダ２は、ドア１の近傍のカードをかざしやすい高さ、一般には床面から１２００ｍｍ〜１５００ｍｍに設置される。
【００２７】
また図２で、２は非接触カードリーダ、２２はシステムに登録済みの非接触カード、２３はコントローラ、３はドア１（図１）に取り付けられた電気錠、５は管理用ＰＣ(Personal Computer)である。非接触カード２２のカードデータは、コントローラ２３内のメモリ（図示せず）に登録されている。
【００２８】
非接触カードリーダ１は、常時カードデータを読み取る体勢にあって、近づけられたカードのデータをほぼ瞬時に読み取り、そのデータをコントローラ２３に送信する。コントローラ２３は、内部に既登録のカードデータを収納しており、カードリーダ２から送られたカードデータが既登録のものか否かを照合、判定する。判定の結果、送られたカードデータが既登録のものであり、現在そのドア１を通過できる設定になっていれば、コントローラ２３は、電気錠３を一定時間駆動して解錠するとともに、得られたカードデータを管理用ＰＣ５に送信する。管理用ＰＣ５は、カードデータからそのカードの所持者を検索し、そのカードの所持者を画面に表示する。
【００２９】
コントローラ２３が電気錠３を駆動する時間は、数秒から数十秒に設定され、電気錠３の駆動時間が経過すると、電気錠３は再び施錠される。このようなシステムでは、カード保持者の通過情報以外にドアの開け放し、電気錠３の故障、ドア１のこじ開けなども表示できるものが多い。
【００３０】
また、簡便なシステムでは、コントローラ２３を省いて、カードリーダ２、もしくは管理用ＰＣ５で、カードデータの照合を行うものがあり、カードリーダ２或いは管理用ＰＣ５で電気錠３を駆動するシステムもある。
【００３１】
このように一般的なシステムでは、管理された部屋に外部から入室することを前提に、システムが構築されることが多い。従って、カードリーダ２は、入室側に設置してあり、退室するときはドア１のノブをまわして自由に出られるものが大半である。このような一般的なシステムでは、外部からカードを用いて管理された部屋に入ることが主であるから、カードを忘れた者などはカードを取りに帰るなど対応をとることができる。
【００３２】
このような出入管理システムとしてのカードシステムを、マンションや一般の家庭などに設置する場合を考えてみると、居住者は部屋の中では必ずしもカードを所持している必要はなく、外出の際再度部屋に入るためにカードを使用することになる。
【００３３】
すなわち、外出するときにカードを所持し忘れたときなどは、帰宅したときに部屋に入ることは出来なくなる。帰宅時に家の中に家族などがいればインターホンなどで話して内部から解錠してもらうことが出来るが、独身者や、家族がいても留守のときなどは鍵を開ける手だてがない。
【００３４】
マンションなどで管理人が常駐していれば、全戸に有効なカードを所持させて鍵を持たずに外出した場合は管理人に頼んで開けてもらうことも出来るが、面倒でもあり管理業務の増加を招く。ましてや一般の家屋などではカードを持たずに外出した場合にドアを開ける手段（たとえばシリンダー錠）を別に設けるなどの対処が必要になり、カードシステムの持つセキュリティー性が損なわれかねない。
【００３５】
また、このようなカードシステムがマンションや一般家庭に普及した場合に、上述のシステムを用いると、カードリーダ２が常時カード読み取り体勢にあり、カードデータを読み込むと、即解錠となるため、例えば、考えられるデータを高速で順次送信する機器を使用して、ある確率で解錠することをもくろむ犯罪が成り立つことも考えられる。
【００３６】
そこで、本発明は、カードリーダがカードのデータの読み込んだときに、電気錠は施錠動作となり、カードリーダによるカードのデータの読み込み動作と解錠確認操作とを一定時間内に行うことで、電気錠を解錠することにより、外出時のカード所持忘れを防止し且つセキュリティー性能を高めた出入管理システム（カードシステム）を提供する。
【００３７】
図３は、本発明の第１の実施例による出入管理システム（カードシステム）を示し、図４は図３の出入管理システム（カードシステム）のブロックダイアグラムである。図３及び図４に示された、第１の実施例による出入管理システム（カードシステム）は、図１及び図２に示された出入管理システム（カードシステム）と同様な参照符号で示された同様な部分を含む。
【００３８】
即ち、図３において、１はマンションなどの部屋の入口であるドア（出入管理ゲート）、２は非接触カードリーダ、３はドア１に設置された電気錠、４は解錠確認操作の手段である押しボタンである。
【００３９】
また、図４において、１は非接触カードリーダ、２２はシステムに登録済みの非接触カード、３３はコントローラ、３はドア１に取り付けられた電気錠、５は管理用ＰＣ、４は解錠確認操作の手段である押しボタンで、簡便なシステムでは管理用ＰＣ５を省略することも多い。コントローラ３３と非接触カードリーダ２との間、コントローラ３３と電気錠３との間、コントローラ３３と押しボタン４との間、及びコントローラ３３と管理用ＰＣ５との間は、電線７で接続されている。押しボタン４は、操作されると、信号を出力し、その信号をコントローラ３３に与え、コントローラに操作されたことを知らせる操作部である。
【００４０】
ドア１は電気錠３により施錠されるが内側からはノブをまわすなどして自由に開けることが出来る。
【００４１】
コントローラ３３には次の機能が具備されている。
【００４２】
（１）  非接触カードの登録、抹消機能。  
（２）  非接触カードのデータを登録データと照合し、登録されているデータの場合には所定時間、電気錠３を解錠する機能。  
（３）  電気錠３の解錠信号、ドア１の開扉信号を受け入れる機能。  
（４）  電気錠３の故障時、ドア１開放時、ドア１こじ開け時に警報を発する機能。  
（５）  入室記録保持機能（ＰＣ５接続時には画面で確認可能であって、本発明実施に不可欠な要素ではない）。  
（６）  停電時電源バックアップバッテリー。
【００４３】
図３をもとに本実施例のコントローラ３３の制御下での動作を説明する。
【００４４】
以下に述べる例では、電気錠３の解錠を、解錠確認操作を行ってからカードリーダ２にカードデータを読み込ませることにより、行う場合を説明するが、この逆の順序の操作により電気錠３の解錠を行うシステムでも同様の効果が得られる。
【００４５】
この部屋の居住者は、外出の際、ドア１を開けて外に出、ドア１を閉めてからカードを非接触カードリーダ２に近づけ、カードデータを読み込ませて、電気錠３を施錠する。
【００４６】
この際、カードリーダ２の緑ランプが点灯し、「ピッ」という音を発して、施錠をカード所持者に知らせる。電気錠３が既に施錠されている状態にて、カードリーダ２がカードデータを読み込んだ場合には、再施錠操作を行わず、施錠を知らせる「ピッ」という音の発生も緑ランプの点灯も行わないことがセキュリティー上好ましい。
【００４７】
万一、電気錠３が故障するなどして施錠が出来ない場合は、連続ブザー音「ピーーー」で不具合を知らせる。
【００４８】
帰宅時は、押しボタン（解錠確認操作ボタン）４を押し、一定時間内（数秒から数十秒に設定される）にカードをカードリーダ２に近づけてカードデータを読み込ませ、電気錠３を解錠させ、部屋に入ることが出来る。ここで、カードデータを読み込ませた際には、カードリーダ２の赤ランプが点灯し、同時に「ピピピ」という音を発して、カード所持者に解錠を知らせる。
【００４９】
押しボタン（解錠確認操作ボタン）４には、一定時間解錠可能なことを示すランプを付けても良く、ランプとブザーとに代えて「施錠しました」「解錠しました」「カードを近づけて下さい」などの音声を発しても良い。
【００５０】
また、カードリーダ２のカードデータ読み取り動作を、ドア１閉扉から一定時間（これも、数秒から数十秒に設定される）と解錠確認操作から一定時間（前述のとおり、数秒から数十秒に設定される）に限定すれば、セキュリティー上より好ましく、電源バックアップバッテリーの負担を軽減できる。
【００５１】
さらにカードリーダ２がカードデータを読み込むと一定時間（数秒から数十秒に設定される）カードの読み取りを停止すれば、複数の拾得カードを無差別に使用する犯罪の危険を軽減できる。
【００５２】
上記例では解錠確認手段である押しボタン４を押してからカードデータを読み込ませるという順を説明したが、カードデータを読み込ませてから解錠確認手段である押しボタン４を操作する順でも同様の効果が得られる。
【００５３】
上記第１の実施例によれば、カードを忘れた場合は施錠が出来ないので、居住者は必ずカードを持って外出することになり、カードの忘れを防止することが出来る。また、上記第１の実施例によれば、ドア１に鍵穴を付ける必要がないので、鍵穴から不正に解錠する行為を防止することが出来る。更に、上記第１の実施例によれば、解錠操作１回ごとに解錠確認操作を行わなくてはならないので、想定されるカードデータを順次高速で送信しある確率で解錠を目論む犯罪を防止することが出来る。
【００５４】
図５は、本発明の第２の実施例による出入管理システム（カードシステム）を示し、図６は図５の出入管理システム（カードシステム）のノブ５１の動作を説明するための図である。図５及び図６に示された、第２の実施例による出入管理システム（カードシステム）は、図１及び図２に示された出入管理システム（カードシステム）、及び、図３及び図４に示された出入管理システム（カードシステム）と同様な参照符号で示された同様な部分を含む。
【００５５】
特に、図５及び図６において、本発明の第２の実施例は、ドア（出入管理ゲート）１のノブ５１を回すという動作を解錠確認操作として利用するものである。
【００５６】
図６に示すように、第２の実施例では、図３及び図４の押しボタン４に代えて、ドア１内側に取り付けられ、ノブ５１に連動するスイッチ６３を用いている。この点以外は、第２の実施例は、第１の実施例（図３及び図４）と同じである。即ち、第２の実施例は、押しボタン４の代りに、ノブ５１に連動するスイッチ６３を用いた点以外は、図４と同様のブロックダイアグラムで表される回路構成を有する。即ち、スイッチ６３は、ノブ５１を回す操作により、図６の下図のように、操作されて、信号を出力し、その信号をワイヤ６４を介してコントローラ３３（図４）に与え、コントローラコントローラ３３（図４）に操作されたことを知らせる操作部である。
【００５７】
図６において、５１は、ドア１に取り付けられたノブであり、６２は、ノブ５１の回転と連動して移動するバーであり、６３は、上述のスイッチ、６４はワイヤ、６５はスプリングである。
【００５８】
常時は、図６の上図のように、バー６２はスプリング６５の張力で下に下がっており、スイッチ６３はオフとなっている。
【００５９】
ノブ５１を右に回すと、図６の下図のように、バー２も連動して回り、スイッチ６３を押して、スイッチ６３に信号を出力させ、その信号をワイヤ６４を介してコントローラ３３（図４）に与え、コントローラ３３（図４）に操作されたことを知らせる。
【００６０】
本来、電気錠３により解錠動作が行われるので、ノブ５１を回すという動作は必ずしも必要としない（電気錠の形式によっては必要なものもある）。従って、従来のノブ５１に代えて取っ手のようなものをドア１に取り付けても機能に支障は生じない。しかし、ノブ５１を利用することで自然な操作が可能となる。
【００６１】
即ち、図５及び図６において、ドア１を開けようとする者は、カードをカードリーダ２に近づけデータを読み込ませる。その後、一定時間以内に、ドア１のノブ５１を回すと、ドア１に内蔵されたスイッチ６３がオンとなり、コントローラによって電気錠３が解錠されてドア１を開けることができる。
【００６２】
次に、図７、図８、及び図９を参照して、本発明の第３の実施例による出入管理システム（カードシステム）を説明する。図７、図８、及び図９を参照して説明される第３の実施例による出入管理システム（カードシステム）は、図１及び図２に示された出入管理システム（カードシステム）、及び、図３及び図４に示された出入管理システム（カードシステム）と同様な参照符号で示された同様な部分を含む。
【００６３】
第３の実施例では、インターホン玄関子機の呼び出しボタンを解錠確認スイッチとして利用するものである。
【００６４】
既設の建物に新たに解錠確認用のスイッチをつけるためには、室内から室外への配線を含め、工事費用がバカにならない。
【００６５】
また、意匠上も周囲と違和感のあるものになりやすい。
【００６６】
第３の実施例では、インタホンの呼び出しスイッチを解錠確認手段として利用することにより、少ないコストで意匠上違和感のないシステムを作ることができるようにするものである。
【００６７】
図７は第３の実施例で用いるインターホン玄関子機を示し、図８は第３の実施例による出入管理システム（カードシステム）のブロックダイアグラムであり、図９は第３の実施例で用いるインターホン玄関子機の動作を説明するための回路図である。
【００６８】
図７において、７１は呼び出しボタン、７２はスピーカマイクロホンである。
【００６９】
通常インタホンとして使用する場合は、呼び出しボタン７１を押すと室内でチャイムが鳴って来客を知らせ、スピーカマイクロホン７２で室内と会話する。
【００７０】
また図８において、２は非接触カードリーダ、２２はシステムに登録済みの非接触カード、３３’はコントローラ、３はドア（出入管理ゲート）に取り付けられた電気錠、５は管理用ＰＣ、８６は、非接触カードリーダ２がカードデータを読み取ると動作するリレーである。簡便なシステムでは管理用ＰＣ５を省略することも多い。コントローラ３３’と非接触カードリーダ２との間、コントローラ３３’と電気錠３との間、コントローラ３３’とリレー８６との間、及びコントローラ３３と管理用ＰＣ５との間は、電線７で接続されている。
【００７１】
コントローラ３３’は、コントローラ３３（図４）と同様に、カードデータを登録している。コントローラ３３’は、カードリーダ２が、登録されているカードデータを読み込むと、リレー８６を動作させる。
【００７２】
リレー８６が動作すると、図９のリレー接点RYが動いて、回路をインタホン親機からコントローラ３３’に切り替わる。図９において、COMは共通線である。
【００７３】
図８及び図９において、第３の実施例では、コントローラ３３’は、カードリーダ２が登録されているカードデータを読み込むと、玄関子機の呼び出しボタン回路をインタホン親機からコントローラ３３’へと切り替えるので、呼び出しボタン７１を押してもチャイムは鳴らず、代りに、呼び出しボタン７１を押せばコントローラ３３’に共通線COMの電位が供給される。コントローラ３３’は、カードリーダ２が登録されているカードデータを読み込んでから、一定時間以内に、共通線COMの電位を供給されると、電気錠３を解錠する。このように、呼び出しボタン７１は、操作されると、共通線COMの電位をコントローラ３３’に与え、コントローラ３３’に操作されたことを知らせる操作部として作用する。
【００７４】
即ち、図８及び図９において、ドアを開けようとする者は、カードをカードリーダ２に近づけデータを読み込ませる。その後、一定時間以内に、呼び出しボタン７１を押すと、コントローラ３３’によって電気錠３が解錠されてドアを開けることができる。
【００７５】
次に、図１０を参照して、本発明の第４の実施例による出入管理システム（カードシステム）を説明する。
【００７６】
第４の実施例では、図１０に示すように、インターホン玄関子機の筐体（ケース）内にカードリーダ２が組み込まれているものを用いる。第４の実施例は、この点が、上述した第３の実施例と異なる。第４の実施例は、それ以外は、第３の実施例と同様である。
【００７７】
カードによる出入管理システムを設置する際には管理するドア（出入管理ゲート）の近くにカードリーダを設置しなくてはならない。
【００７８】
オフィスなど従来使用されている出入管理システムでは、既設の建物に設置する場合もオフィスの場合仕切はほとんどが板壁かパーティーションで取付にはさほどの困難は伴わないことが多い。またカードリーダ２を取り付ける場所はビル内のドア近傍が多く、外観意匠にもそれほどの注意を払わなくても良い場合が多かった。
【００７９】
しかし、一般の家屋やマンションではカードリーダ２は、玄関ドア近くの外壁に取り付けることが多く、従来のカードリーダ２取付にはコンクリートなどの外壁を加工し、電線の通線孔をあけるなど大がかりな工事が必要であった。意匠の面でも後取付の電線管などが壁面に露出し美観を損なうことも多く、また費用面でも取り付け工事にかかる費用がカードリーダ２の価格を大幅に上回るなど、既設のマンションや一般家屋へのカードシステム２の普及の妨げになっていた。
【００８０】
第４の実施例では、カードリーダ２の構成部分をインタホンの玄関子機と一体化させ、カードリーダ２の取付工事と費用を大幅に軽減させることで、カードシステムの持つ高いセキュリティー性能を低いコストで提供することを可能とする。
【００８１】
第４の実施例で用いられる、玄関子機一体型のカードリーダの構造例が図１０に示され、図１０には、カードリーダ２の特にアンテナコイルが示されている。この第４の実施例の動作は前述した第３の実施例の動作と同様である。
【００８２】
カードリーダ２に使用する電子部品は玄関子機のケース内に収納するのに、さほどの困難は伴わない。
【００８３】
第４の実施例を適用することにより、従来とかく大がかりとなっていたカードリーダ２の取付が玄関子機の通線孔を利用してカードリーダ２の電源と信号線を通線し、それまでついていた玄関子機をカードリーダ一体型の玄関子機と交換するのみの簡単な作業で終了し、意匠的にもさしたる変化をもたらさない。
【００８４】
さらに解錠確認スイッチを玄関子機の呼び出しスイッチ７１と兼用することにより、カードリーダ２の直近に解錠確認スイッチが有ることになり、より扱いやすい出入管理システムとすることができる。
【００８５】
このように本発明を使用することにより、カードによる出入管理システムの高いセキュリティー性能と利便性を低いコストで提供することができる。さらに、カードデータ読み取りによる施錠を実現したため、カード所持忘れを未然に防止するなど、利用者の立場に立ったシステムの提供が可能となる。
【００８６】
なお、図では、非接触カードリーダとコントローラとを別に画いているが、小規模なシステムでは非接触カードリーダにコントローラの機能を持たせることも出来る。
【図面の簡単な説明】
【００８７】
【図１】一般的な出入管理システムを示した図である。
【図２】図１の出入管理システムのブロックダイアグラムである。
【図３】本発明の一実施例による出入管理システム（カードシステム）を示した図である。
【図４】図３の出入管理システム（カードシステム）のブロックダイアグラムである。
【図５】本発明の第２の実施例による出入管理システム（カードシステム）を示した図である。
【図６】図５の出入管理システム（カードシステム）のノブの動作を説明するための図である。
【図７】本発明の第３の実施例による出入管理システム（カードシステム）で用いるインターホン玄関子機を示した図である。
【図８】上記第３の実施例による出入管理システム（カードシステム）のブロックダイアグラムである。
【図９】上記第３の実施例による出入管理システム（カードシステム）で用いるインターホン玄関子機の動作を説明するための回路図である。
【図１０】本発明の第４の実施例による出入管理システム（カードシステム）で用いるインターホン玄関子機を示した図である。
【符号の説明】
【００８８】
１    ドア（出入管理ゲート）
２    非接触カードリーダ
３    電気錠
４    押しボタン（操作部）
５    管理用ＰＣ
７    電線
２２    非接触カード
２３    コントローラ
３３    コントローラ
３３’    コントローラ
５１    ノブ
６３    スイッチ（操作部）
６４    ワイア
６５    スプリング
７１    呼び出しボタン（操作部）
７２    スピーカマイクロホン
８６    リレー
RY    リレー接点
【図１】
2006299639.tif 000003
【図２】
2006299639.tif 000004
【図３】
2006299639.tif 000005
【図４】
2006299639.tif 000006
【図５】
2006299639.tif 000007
【図６】
2006299639.tif 000008
【図７】
2006299639.tif 000009
【図８】
2006299639.tif 000010
【図９】
2006299639.tif 000011
【図１０】
2006299639.tif 000012